(57)【特許請求の範囲】
【請求項１】
回転軸の外周に円板状となる複数の支持部材を固定し、この支持部材の外周に、回転軸と平行する複数のブラシ体を着脱自在に取付けた長靴洗浄機の回転ブラシにおいて、
前記支持部材の外周に、前記回転軸の径方向に向く外面に長さ方向の全長にわたる裂溝が設けられ、長さ方向の一端が開放して他端が閉鎖されたレール状のホルダーを、該回転軸と平行するよう円周方向に一定の間隔で複数固定し、
各ホルダーに取り付けるブラシ体を、ホルダー内に一方の端部から抜き差し自在に挿入する断面形状と、ホルダー内に全長が納まる長さを有する杆状体の一面側に、前記裂溝からホルダーの外部に突出する毛体を長さ方向の全長にわたるよう植設して形成し、
前記ホルダーのブラシ体を抜き差しする開放端部側の位置に、ホルダーに対するブラシ体の抜き差しと抜け止めを可能にする押さえ機構を設け、
前記押さえ機構が、前記回転軸に対して回転可能に外嵌して前記ホルダーの端部を固定した支持部材に重なる配置となる円板状の押さえ板を、外周部に設けた切り欠きがホルダーの一方の端部に対応する開放位相と、この押さえ板の外周部がホルダーの一方の端部に対応する閉鎖位相との間を回転可能となるよう前記支持部材に取り付け、この押さえ板の上記閉鎖位相を前記支持部材に対して固定化できるようにして形成されていることを特徴とする長靴洗浄機の回転ブラシ。
【発明の詳細な説明】
【０００１】
【発明の属する技術分野】
この発明は、回転軸の外周に複数のブラシ体を取り付けた回転ブラシにおいて、ブラシ体の取り換えが簡単に行えるようにした長靴洗浄機の回転ブラシに関する。
【０００２】
【従来の技術】
図６は、回転ブラシを使用した機器の例として、長靴洗浄機を示している。
【０００３】
この長靴洗浄機は、上面が開放した受水ケース１の内部底面に、靴底洗浄ブラシ２を平面的に水平移動するよう設け、この受水ケース１の内部に、靴底洗浄ブラシ２の上部で両側に位置し、水平状態で回転する一対の側面洗浄用の回転ブラシ３と、靴底洗浄ブラシ２と回転ブラシ３のそれぞれに洗浄水を供給する給水ノズル４とを配置し、受水ケース１の前部から回転する回転ブラシ３間に長靴Ａを挿入して靴底洗浄ブラシ２上に載れば、長靴Ａの底面を靴底洗浄ブラシ２で擦り、かつ、長靴Ａの周側面を回転ブラシ３で擦り、給水ノズル４からの洗浄水の供給とによって、長靴Ａの底面から周側面を洗浄し、長靴Ａの汚れや付着物を除去することができる。
【０００４】
このような長靴洗浄機は、例えば、食品関連の工場や飲食店の厨房の入口に設置し、上記工場や厨房に入るときに長靴の汚れや付着物を除去することにより、これら汚れや付着物を工場や厨房に持ち込まないようにして、衛生面の向上を図るものである。
【０００５】
上記のような長靴洗浄機において、回転ブラシ３は、回転軸６の外周に毛体７を設けて構成されており、洗浄時に長靴Ａの周側面に毛体７が摺接するため、使用と共に毛体７に摩耗が発生して洗浄効果が低下するので、毛体７が摩耗するとその取り換えが必要になる。
【０００６】
従来の回転ブラシ３としては、図７に示すように、軸受５で回転可能に支持される回転軸６の周囲に直接毛体７を放射上の配置となるよう直接植設したものと、図８に示すように、回転軸６に円板状となる複数の支持部材８を固定し、この支持部材８に取り付けるブラシ体９を、杆状体１０の長さ方向に毛体７を植設して形成し、上記した複数のブラシ体９をその杆状体１０が回転軸６と平行するよう支持部材８群の外周に重ね、杆状体１０と支持部材８の交差部分を径方向からビス１１で固定することにより、ブラシ体９を着脱可能に固定したものが知られている。
【０００７】
【発明が解決しようとする課題】
ところで、前者の回転ブラシ３は、交換する場合に、駆動軸１２との伝達の切り離しや軸受５との切り離し等、複雑な作業が必要になり、交換にかかるコストも高くつくという問題がある。
【０００８】
また、後者の回転ブラシ３は、ブラシ体９を着脱できるため、交換する場合に、回転軸６はそのままでよいが、多数個のビス１１の取り外しと取り付けが必要になり、取り換え作業に手間と時間がかかるという問題がある。
【０００９】
そこで、この発明の課題は、ブラシ体の取り換え作業が簡単かつ容易に行え、構造的にも簡単でブラシ体の取り換えコストの低減が可能な長靴洗浄機の回転ブラシを提供することにある。
【００１０】
【課題を解決するための手段】
上記のような課題を解決するため、この発明は、回転軸の外周に円板状となる複数の支持部材を固定し、この支持部材の外周に、回転軸と平行する複数のブラシ体を着脱自在に取付けた長靴洗浄機の回転ブラシにおいて、
前記支持部材の外周に、前記回転軸の径方向に向く外面に長さ方向の全長にわたる裂溝が設けられ、長さ方向の一端が開放して他端が閉鎖されたレール状のホルダーを、該回転軸と平行するよう円周方向に一定の間隔で複数固定し、各ホルダーに取り付けるブラシ体を、ホルダー内に一方の端部から抜き差し自在に挿入する断面形状と、ホルダー内に全長が納まる長さを有する杆状体の一面側に、前記裂溝からホルダーの外部に突出する毛体を長さ方向の全長にわたるよう植設して形成し、前記ホルダーのブラシ体を抜き差しする開放端部側の位置に、ホルダーに対するブラシ体の抜き差しと抜け止めを可能にする押さえ機構を設け、前記押さえ機構が、前記回転軸に対して回転可能に外嵌して前記ホルダーの端部を固定した支持部材に重なる配置となる円板状の押さえ板を、外周部に設けた切り欠きがホルダーの一方の端部に対応する開放位相と、この押さえ板の外周部がホルダーの一方の端部に対応する閉鎖位相との間を回転可能となるよう前記支持部材に取り付け、この押さえ板の上記閉鎖位相を前記支持部材に対して固定化できるようにして形成されているようにしたものである。
【００１２】
【発明の実施の形態】
以下、この発明の実施の形態を図示例と共に説明する。
【００１３】
図１乃至図５のように、回転ブラシ２１は、回転軸２２に円板状となる複数の支持部材２３を固定し、この支持部材２３群の外周に、レール状のホルダー２４を該回転軸２２と平行するよう円周方向に一定の間隔で複数固定し、各ホルダー２４に取り付けるブラシ体２５を、ホルダー２４に一方の端部から抜き差し自在に挿入する杆状体２６の長さ方向に毛体２７を植設して形成し、前記ホルダー２４のブラシ体２５を抜き差しする端部側の位置に、ホルダー２４に対するブラシ体２５の抜き差しと抜け止めを可能にする押さえ機構２８を設けて構成されている。
【００１４】
上記レール状のホルダー２４は、図１乃至図５に示すように、断面角形で回転軸の径方向外面に長さ方向の全長にわたる裂溝２９が設けられ、長さ方向の一端は開口３０して他端は端壁３１で閉鎖された構造になっている。
【００１５】
また、ブラシ体２５は、ホルダー２４内に嵌合して一端の開口３０から抜き差し自在となる断面形状と、ホルダー２４内に全長が納まる長さを有する杆状体２６の一面に、所定長さの毛体２７を長さ方向の全長にわたるよう植設して形成され、ホルダー２４内に挿入したとき、該ホルダー２４の裂溝２９部分から毛体２７が外部に突出することになる。
【００１６】
なお、ホルダー２４と杆状体２６の断面構造は、図示に限るものではなく、ホルダー２４に対して杆状体２６が抜き差しでき、かつ、回転時の遠心力でホルダー２４から杆状体２６が離脱することのない取り付け状態が得られるものであればよい。
【００１７】
前記押さえ機構２８は、図１に示すように、ホルダー２４の開口３０している端部側の位置に、ホルダー２４の配置外径に略一致する外径を有する円板状の押さえ板３２を、回転軸２２に対して回転可能に外嵌して該ホルダー２４の端部を固定した支持部材２３に重なるように配置し、この押さえ板３２の外周部に、ホルダー２４の端部に合う幅と深さを有する複数の切り欠き３３を、ホルダー２４の数と配置間隔に一致するように設け、該押さえ板３２に軸心を中心とする長孔３４を形成し、この長孔３４に挿通したビス３５を支持部材２３のねじ孔３６にねじ込むことにより、押さえ板３２を支持部材２３に固定化するようになっている。
【００１８】
上記押さえ板３２は、ビス３５を緩めることで、支持部材２３に対して長孔３４の範囲で回転可能となり、この押さえ板３２を、外周部に設けた各切り欠き３３が各ホルダー２４の一方の端部に対応する開放位相と、押さえ板３２の外周部がホルダー２４の一方の端部に対応する閉鎖位相とに回転移動させることができるようになっている。
【００１９】
従って、押さえ板３２を開放位相にすると、各切り欠き３３が各ホルダー２４の一方の端部に一致し、ホルダー２４の開口３０は開放され、切り欠き３３の部分からホルダー２４に対してブラシ体２５の抜き差しが行え、また、押さえ板３２を閉鎖位相にすると、押さえ板３２の外周部で各ホルダー２４の開口３０を閉鎖し、ホルダー２４内に挿入したブラシ体２５の抜け止め状態が得られることになる。
【００２０】
この発明の回転ブラシは、上記のような構成であり、押さえ板３２を開放位相にした状態で、切り欠き３３の部分から各ホルダー２４に対してブラシ体２５を挿入し、この後押さえ板３２を閉鎖位相にしてビス３５を締め付ければ、ブラシ体２５は抜け止め状になり、回転軸２２の周囲に複数のブラシ体２５が放射状の配置で取り付けられた回転ブラシ２１が形成され、この回転ブラシ２１は、回転軸２２を軸受で支持して駆動源と結合することにより、例えば、図６で示したような、長靴洗浄機の側面洗浄ブラシとして使用するほか、ブラシを用いた各種機器の回転ブラシとして使用することができる。
【００２１】
また、ブラシ体２５の取り換えを行うには、ビス３５を緩めて押さえ板３２を開放位相に回動させ、切り欠き３３を各ホルダー２４の端部に一致させれば、各ホルダー２４からのブラシ体２５の抜き取りと、新たなブラシ体の挿入とが連続して行え、この後押さえ板３２を閉鎖位相にしてビス３５の締め付けでで固定すれば作業が完了する。
【００２２】
このように、ブラシ体２５の取り換えは、ビス３５の締め緩め、押さえ板３２の回動、ホルダー２４に対するブラシ体２５の抜き差しの作業で行え、回転軸２２はそのままであるので駆動軸や軸受と切り離すという複雑な作業は一切不要になり、一個のビス３５を締め緩めすればよいので、作業の簡略化が図れることになる。
【００２３】
【発明の効果】
以上のように、この発明によると、回転軸の外周にレール状のホルダーを固定し、このホルダーに取り付けるブラシ体を、ホルダーに一方の端部から抜き差し自在に挿入する杆状体の長さ方向に毛体を植設して形成し、前記ホルダーのブラシ体を抜き差しする端部側の位置に、ホルダーに対するブラシ体の抜き差しと抜け止めを可能にする押さえ機構を設けたので、ブラシ体の取り換えが押さえ機構の操作してホルダーにブラシ体を抜き差しするだけで行え、回転軸はそのままにして取り換えが可能になり、回転軸を駆動軸や軸受と切り離すという複雑な作業は一切不要になり、構造の簡略化とブラシ体取り換え作業の簡略化が図れる。
【００２４】
また、押さえ板の回動と固定は一個のビスを締め緩めするだけでよく、ブラシ体取り換え作業の能率向上で取り換えコストの低減が実現できる。
【図面の簡単な説明】
【図１】回転ブラシの分解斜視図
【図２】回転ブラシにおけるブラシ体取り付け部分の構造を示す縦断正面図
【図３】回転ブラシを示す縦断正面図
【図４】回転ブラシにおけるブラシ体取り付け部分の構造を示す縦断側面図
【図５】回転ブラシにおけるブラシ体取り付け部分の構造を示すブラシ体抜き取り状態の縦断正面図
【図６】回転ブラシを使用した長靴洗浄機の正面図
【図７】従来の回転ブラシを示す分解斜視図
【図８】従来の回転ブラシの他の例を示す斜視図
【符号の説明】
２１    回転ブラシ
２２    回転軸
２３    支持部材
２４    ホルダー
２５    ブラシ体
２６    杆状体
２７    毛体
２８    押さえ機構
２９    裂溝
３０    開口
３１    端癖
３２    押さえ板
３３    切り欠き
３４    長孔
３５    ビス
３６    ねじ孔
【図１】
0004362168.tif 000002
【図２】
0004362168.tif 000003
【図３】
0004362168.tif 000004
【図４】
0004362168.tif 000005
【図５】
0004362168.tif 000006
【図６】
0004362168.tif 000007
【図７】
0004362168.tif 000008
【図８】
0004362168.tif 000009